(57)【要約】【課題】  サイズの増加を避けつつ受信アンテナの信号受信性能を維持し得るデジタル表示式電波修正時計及び該時計の標準電波受信方法を提供すること【解決手段】  時・分を含む時刻データをデジタル表示する表示器１０を備えたデジタル表示式電波修正時計１では、デジタル表示を行なう表示器１０の一側１１ｂに配置した受信アンテナ７によって受信した標準電波信号ＪＪＹに含まれる時刻情報に基づいてデジタル表示を行なう表示器１０の表示時刻を修正する際に、該時刻情報を受信している間、表示器１０の前記一側１１ｂから該表示器１０への表示信号の入力を停止する。【選択図】  図１
2007187504.tif 000002
【特許請求の範囲】
【請求項１】
時・分を含む時刻データをデジタル表示する表示器を備えたデジタル表示式電波修正時計であって、
前記表示器の一側の近傍に配置され時刻情報を含む標準電波信号を受信する受信アンテナと、
該アンテナで受信した前記標準電波信号の時刻情報に基づいて修正された時刻データを生成する時計回路と、
前記時刻データを含む表示用出力信号を該時計回路から前記表示器に送るための配線からなる時刻データ表示用出力ラインとを有し、
前記時刻データ表示用出力ラインが前記表示器のうち前記受信アンテナに近接する前記一側とは異なる箇所で、前記表示器に接続されているデジタル表示式電波修正時計。
【請求項２】
前記表示器が前記時刻データ以外の非時刻データをデジタル表示するように構成され、
前記電波修正時計が、
前記非時刻データを生成する非時刻データ発生手段と、
該非時刻データ発生手段と前記表示器の前記一側とをつなぐ配線からなる非時刻データ表示用出力ラインと、
該非時刻データ表示用出力ラインを介する前記非時刻データの前記表示器への伝送を制御する非時刻データ表示制御手段とを更に有し、
前記非時刻データ表示制御手段は、前記時計回路が前記標準電波信号の時刻情報に基づいて時刻修正を行なうべく前記受信アンテナが前記標準電波信号を受信している間、前記非時刻データの前記表示器への伝送を停止するように構成されている
請求項１に記載のデジタル表示式電波修正時計。
【請求項３】
前記非時刻データが、日もしくはそれよりも長い期間を表すカレンダーデータ、又は時刻に依存しないデータである請求項２に記載のデジタル表示式電波修正時計。
【請求項４】
前記時計回路及び前記非時刻データ表示制御手段が回路基板に実装され、該回路基板が、前記時刻データ表示用出力ライン及び前記非時刻データ表示用出力ラインを構成する配線パターンを備える請求項２又は３に記載のデジタル表示式電波修正時計。
【請求項５】
前記表示器が、その前記一側に表示信号入力用の多数の接点部分を含む非時刻データ表示用入力端子を備え、前記非時刻データ表示用出力ラインが、表示器側の端部に表示信号出力用の多数の接点部分を含む非時刻データ表示用出力端子を備え、前記非時刻データ表示用出力ラインの該非時刻データ表示用出力端子が、コネクタを介して、前記表示器と前記受信アンテナとの間において、前記表示器の前記非時刻データ表示用入力端子に接続されている請求項４に記載のデジタル表示式電波修正時計。
【請求項６】
前記表示器が、液晶ディスプレイ式、発光ダイオード式、又は有機ＥＬディスプレイ式、電子ペーパ式である請求項１から５までのいずれか一つの項に記載のデジタル表示式電波修正時計。
【請求項７】
前記表示器が細長い平面形状を備え、前記受信アンテナが前記表示器の前記一側をなす長い辺に沿って配置されている請求項１から６までのいずれか一つの項に記載のデジタル表示式電波修正時計。
【請求項８】
前記受信アンテナがアナログ式表示の場合の１２時側又は６時側に配置されている請求項１から７までのいずれか一つの項に記載のデジタル表示式電波修正時計。
【請求項９】
腕時計の形態である請求項１から８までのいずれか一つの項に記載のデジタル表示式電波修正時計。
【請求項１０】
デジタル表示を行なう表示器の表示時刻を、該表示器の一側に配置した受信アンテナによって受信した標準電波信号に含まれる時刻情報に基づいて修正する際に、該時刻情報を受信している間、表示器の前記一側から該表示器への表示信号の入力を停止するようにしたデジタル表示式電波修正時計の標準電波受信方法。
【発明の詳細な説明】
【技術分野】
【０００１】
本発明は、デジタル表示式電波修正時計（すなわち、デジタル表示式電波時計）及び該時計の標準電波受信方法に係り、より詳しくは、腕時計の如き携帯型で小型の時計として用いられるに適したデジタル表示式電波修正時計及びその標準電波受信方法に係る。
【背景技術】
【０００２】
４０ｋＨｚ又は６０ｋＨｚの長波に、年月日データに加えて、時・分・秒データを載せた標準電波を受信し、該標準電波から取出した時刻情報に基づいて時刻修正をする電波修正時計は周知である。
【０００３】
従来の腕時計の形態のデジタル表示式電波修正時計は、時・分・秒を含む時刻データやそれ以外の非時刻データをデジタル表示する液晶表示パネルの形態の液晶表示器を備えると共に表示用の時刻データを表す信号を出力する回路ブロックを備え、更に、時刻情報を含む標準電波信号を受信する受信アンテナを液晶表示パネルの近傍に備える。
【０００４】
受信アンテナは、回路ブロックの回路基板の外縁に沿って配置される。なお、外縁に、受信アンテナ配置用の切欠が形成されることもある（例えば、特許文献１）。
【０００５】
いずれの場合でも、従来のデジタル表示式電波修正時計では、回路ブロックの時計回路から液晶表示パネルへのデジタル式表示データの入力用の配線の少なくとも一部が、液晶表示パネルのうち該パネルの近傍に位置する受信アンテナに対面する一側において、該液晶パネルに入力されていた。
【０００６】
従って、受信アンテナが標準電波を受信して該標準電波から時刻情報が取出される際、受信アンテナは、液晶パネルへのデジタル式表示データの入力用の配線を通る信号に起因するノイズの影響を多少なりとも受けるのを避け難く、標準電波の時刻情報の検出のＳ／Ｎ比が多少なりとも低下するのを避け難かった。
【０００７】
なお、受信アンテナを、液晶パネルから十分に遠ざければこの問題を避けることは可能であるけれども、その場合、時計のサイズが大きくなり、デザインや実用性を損なうことになる。
【特許文献１】実開平６−２５７９２号公報
【発明の開示】
【発明が解決しようとする課題】
【０００８】
本発明は前記した点に鑑みなされたものであって、その目的とするところは、サイズの増加を避けつつ受信アンテナの信号受信性能を維持し得るデジタル表示式電波修正時計及び該時計の標準電波受信方法を提供することにある。
【課題を解決するための手段】
【０００９】
本発明のデジタル表示式電波修正時計は、前記目的を達成すべく、時・分を含む時刻データをデジタル表示する表示器を備えたデジタル表示式電波修正時計であって、前記表示器の一側の近傍に配置され時刻情報を含む標準電波信号を受信する受信アンテナと、該アンテナで受信した標準電波信号の時刻情報に基づいて修正された時刻データを生成する時計回路と、前記時刻データを含む表示用出力信号を該時計回路から前記表示器に送るための配線からなる時刻データ表示用出力ラインとを有し、前記時刻データ表示用出力ラインが前記表示器のうち前記受信アンテナに近接する前記一側とは異なる箇所で、前記表示器に接続されている。
【００１０】
本発明のデジタル表示式電波修正時計では、「時刻データを含む表示用出力信号を該時計回路から前記表示器に送るための配線からなる時刻データ表示用出力ラインが、時・分を含む時刻データをデジタル表示する表示器のうち時刻情報を含む標準電波信号を受信する受信アンテナに近接する一側とは異なる箇所で、前記表示器に接続されている」ので、受信アンテナが時刻データ表示用出力ラインから離れたところに位置するから、時刻データを表示器によりデジタル式に常時表示すべく時刻データ表示用出力ラインを介して該表示器に時・分を含む時刻データを常時入力しつづけていても、時刻データ表示用出力ラインを介して伝送される表示データ用信号が受信アンテナの受信性能を低下させるノイズを生成する虞れが実際上ない。従って、本発明のデジタル表示式電波修正時計では、受信アンテナを表示器に近接させて配置することによりサイズを最低限に抑えても、受信アンテナの信号受信性能を維持し得、また、受信感度を高めることも可能になる。
【００１１】
本発明のデジタル表示式電波修正時計において、「時・分を含む時刻データ」とは、各時点における「時」及び「分」を特定する情報を含むデータをいい、典型的には、各時点における「秒」を特定する情報をも含むけれども、場合によっては、「秒」データは含まれなくてもよく、「秒」は表示等されなくてもよい。
【００１２】
本発明のデジタル表示式電波修正時計において、表示に関して、「デジタル（式）」とは、表示が、典型的には「数値」によって表示されるものをいい、目盛に対して連続的に変化する指針による「アナログ（式）」とは異なることを指す。このようなデジタル式表示では、表示されるべきデータを表すために表示器に与えられる信号線の数が多くなるので、信号線が占める領域が大きくなり、該信号線を流れる電気信号が標準電波受信アンテナに対してノイズ源になり易い。
【００１３】
一方、本発明のデジタル表示式電波修正時計においては、即ち、この明細書においては、「非時刻データ」とは、通常使用する電波修正時計として現在の時刻を表示するために不可欠ではないデータであって「上記の時刻データ」以外のデータをいい、例えば、電池残量の如く各時点における「時」や「分」を特定する情報とは関係のない情報のみでなく、いわゆる「カレンダー」データ、すなわち、「日」データや「曜日」データも「非時刻データ」も非時刻データに区分されるものとする。非時刻データは、日もしくはそれよりも長い期間を表すカレンダーデータ、又は時刻に依存しないデータである。時刻に依存しないデータとしては、時計機能以外の機能に関連するデータであってもよい。
【００１４】
なお、本発明のデジタル表示式電波修正時計では、典型的には、前記表示器が更に前記時刻データ以外の非時刻データをデジタル表示するように構成されている場合に、前記非時刻データを生成する非時刻データ発生手段と、該非時刻データ発生手段と前記表示器の前記一側とをつなぐ配線からなる非時刻データ表示用出力ラインと、該非時刻データ表示用出力ラインを介する前記非時刻データの前記表示器への伝送を制御する非時刻データ表示制御手段とが更に設けられ、前記非時刻データ表示制御手段は、前記時計回路が標準電波信号の時刻情報に基づいて時刻修正を行なうべく受信アンテナが標準電波信号を受信している間、前記非時刻データの前記表示器への伝送を停止するように構成される。
【００１５】
この場合、「非時刻データ表示制御手段は、時計回路が標準電波信号の時刻情報に基づいて時刻修正を行なうべく受信アンテナが標準電波信号を受信している間、非時刻データの表示器への伝送を停止するように構成されている」ので、非時刻データ表示用出力ラインが表示器のうち受信アンテナに近接した一側において該表示器に接続されていても、時刻修正のために標準電波信号が受信アンテナで受信される間は該非時刻データ表示用出力ラインから表示器に非時刻データ表示用信号が入力されないから、受信アンテナが非時刻データ表示用信号に起因するノイズを拾う虞れがない。従って、この本発明のデジタル表示式電波修正時計では、サイズの増加を避けつつ受信アンテナの信号受信性能を維持し得る。
【００１６】
なお、非時刻データの表示器への伝送を停止しうる限り、単なる伝送の停止に止まらず、非時刻データの生成自体を停止してもよい。
【００１７】
但し、本発明のデジタル表示式電波修正時計において、前記非時刻データ表示用出力ラインが表示器の前記一側に接続される代わりに、前記表示器のうち前記受信アンテナに近接する前記一側とは異なる箇所で、前記表示器に接続されていてもよい。その場合、非時刻データを常時表示しつづけても、受信アンテナによる信号受信性能が低下する虞れが実際上ないことは、前述の場合と同様である。
【００１８】
本発明のデジタル表示式電波修正時計では、典型的には、前記時計回路及び前記非時刻データ表示制御手段が回路基板に実装され、該回路基板が、時刻データ表示用出力ライン及び非時刻データ表示用出力ラインを構成する配線パターンを備える。
【００１９】
本発明のデジタル表示式電波修正時計では、典型的には、前記表示器が、その前記一側に表示信号入力用の多数の接点部分を含む非時刻データ表示用入力端子を備え、非時刻データ表示用出力ラインが、表示器側の端部に表示信号出力用の多数の接点部分を含む非時刻データ表示用出力端子を備え、非時刻データ表示用出力ラインの該非時刻データ表示用出力端子が、コネクタを介して、表示器と受信アンテナとの間において、表示器の非時刻データ表示用入力端子に接続されている。
【００２０】
この場合、コネクタは、例えば、回路基板の非時刻データ表示用出力ラインの非時刻データ表示用出力端子と表示器の非時刻データ表示用入力端子との間において、表示用出力端子の多数の接点と表示用入力端子の多数の接点とを夫々電気的に接続すべく、導電層と絶縁層とを積層してなるゴム状体からなる。但し、コネクタは、例えば、オス型及びメス型の組合せ等他の形態のものでもよい。また、回路基板の非時刻データ表示用出力ラインの非時刻データ表示用出力端子と表示器の非時刻データ表示用入力端子とが、中間に他の電気的・機械的接続手段を介することなく、直接に、接続されていてもよい。
【００２１】
本発明のデジタル表示式電波修正時計では、前記表示器は、典型的には、液晶表示式でであるけれども、その代わりに、発光ダイオード式や有機ＥＬ（エレクトロルミネセンス）ディスプレイ式、電子ペーパ式の如く他のデジタル表示式のものでもよい。表示器が例えば液晶表示式の場合、デジタル表示し得る限りどのようなものでもよく、セグメント電極や固定パターン電極を備えたタイプのものでも、マトリックス電極を備えたタイプのものでも、それらが併用されたタイプのものでもよい。また、液晶表示式の駆動方式も、セグメント電極の場合にはスタティック駆動方式であってもダイナミック駆動方式であってもよく、マトリックス電極の場合にはパッシブマトリックス駆動方式であってもアクティブマトリックス駆動方式であってもよい。色表示は、電池容量の制約から典型的には白黒表示であるけれども、カラー表示であってもよい。液晶表示方式も、典型的には白黒表示用のＳＴＮ形であるけれども、その代わりに、ねじれＴＮ形でも、ＦＬＣ（強誘電性）形やＧＨ（ゲスト・ホスト）形やＥＣＢ（複屈折制御）形やＰＤ（高分子分散）形やＩＰＳ（面内スイッチング）形その他のどのような形式のものであってもよい。
【００２２】
本発明のデジタル表示式電波修正時計では、典型的には、表示器が細長い平面形状を備え、受信アンテナが表示器の前記一側をなす長い辺に沿って配置されている。但し、表示器は、円形や正方形や正多角形の如く細長くない形状であってもよい。細長い平面形状のうち短い辺に沿って受信アンテナが配置されていてもよい。アンテナは、直線状であっても湾曲していてもよい。
【００２３】
本発明のデジタル表示式電波修正時計では、典型的には、受信アンテナがアナログ式表示の場合の１２時側（表示器に向かってみて表示器の上縁ないし上側）又は６時側（表示器の下縁ないし下側）に配置されている。但し、その代わりに、３時側や９時側に配置されていてもよく、また、他の斜め方向の位置に配置されていてもよい。
【００２４】
本発明のデジタル表示式電波修正時計は、典型的には、携帯式の時計であり、典型的には腕時計の形態である。但し、例えば、携帯電話その他の携帯式の電子機器に組込まれていてもよい。
【００２５】
また、本発明のデジタル表示式電波修正時計の標準電波受信方法は、前記目的を達成すべく、デジタル表示を行なう表示器の表示時刻を、該表示器の一側に配置した受信アンテナによって受信した標準電波信号に含まれる時刻情報に基づいて修正する際に、該時刻情報を受信している間、表示器の前記一側から該表示器への表示信号の入力を停止するようにした。
【００２６】
この場合、受信アンテナによる電波修正の性能が低下する虞れが無いことは、前述のとおりである。
【発明を実施するための最良の形態】
【００２７】
本発明の好ましい一実施の形態を添付図面に示した好ましい一実施例に基づいて説明する。
【実施例】
【００２８】
本発明の好ましい一実施例のデジタル表示式電波修正腕時計１は、図４に模式的に示したように、デジタル式表示器としての液晶表示部１０を備えた腕時計部２と、腕装着用の時計バンド部３とを有する。腕時計部２は、ケース４と、図１に示したようにケース４内に配置され電池５により給電される時計本体部６とを有する。
【００２９】
時計本体部６は、図１の（ａ）及び（ｂ）に示したように、時計本体用集積回路（時計ＩＣ）２１及び受信用集積回路（受信ＩＣ）２２を含む回路ブロック２０、デジタル表示用の液晶表示部１０、並びに時刻情報を含む標準電波ＪＪＹを受信する受信アンテナ７等を含む。
【００３０】
この例では、液晶表示部１０は、図１の（ａ）及び図３からわかるとおり、表示領域のうち横長の長方形の形態の液晶パネル１１からなり、中央のやや下部（下段）に時刻データＤｔとしての「時・分・秒」を数値でデジタル表示するセグメント式の時刻表示部１２を備えると共に、上部（上段）に第一の非時刻データＤｎ１としての「日」及び「曜日」の如きカレンダー情報をデジタル式に表示するセグメント式のカレンダー表示部１３ａを備え、更に、最下段に、電池残量の如く現在時刻に関係ない第二の非時刻データＤｎ２をデジタル表示する一種のセグメント式の電池残量表示部１３ｂを備える。この例では、非時刻データ表示部１３は、カレンダー表示部１３ａ及び電池残量表示部１３ｂからなる。液晶パネル１１は、更に、その下側縁部１１ａ及び上側縁部１１ｂに、デジタル表示用データ入力端子部１４，１５を有する。ここで、下段の時刻データ入力端子１４は、時刻データＤｔを入力するためのデータ入力端子であり、上段の非時刻データ入力端子１５は、「カレンダーデータＤｎ１」や「電池残量データＤｎ２」のような非時刻データＤｎを入力するためのデータ入力端子である。
【００３１】
図１に加えて図２及び図３からわかるとおり、時刻データ入力端子１４は、時・分・秒の時刻データＤｔをデジタル表示するための多数の時刻データ表示用出力ラインとしての配線パターン群（伝送用配線）Ｌｔｉに応じた多数の入力用接点部分Ａｔｉを含む。同様に、非時刻データ入力端子１５は、非時刻データをデジタル表示するための多数の非時刻データ表示用出力ラインとしての配線パターン群（伝送用配線）Ｌｎｊに応じた多数の入力用接点部分Ａｎｊを含む。
【００３２】
回路ブロック２０は、図１の（ａ）に加えて図２からわかるとおり、時計ＩＣ２１及び受信ＩＣ２２が実装された回路基板２３を含み、該回路基板２３には多数の配線パターンＬが形成されている。回路基板２３の配線パターンＬは、時計ＩＣ２１と受信ＩＣ２２とをつなぐ配線パターンＬａや受信ＩＣ２２と受信アンテナ７とをつなぐ配線パターンＬｂに加えて、時刻データ出力用配線パターン群Ｌｔｉ及び非時刻データ出力用配線パターン群Ｌｎｊを含む。時刻データ出力用配線パターン群Ｌｔｉの一端は時刻データ出力端子２４になっており、該時刻データ出力端子２４は多数の時刻データ表示用出力ラインＬｔｉに応じた多数の時刻データ出力用接点部分Ｂｔｉを含む。非時刻データ表示用出力ラインＬｎｊの一端は非時刻データ出力端子２５になっており、該非時刻データ出力端子２５は多数の信号線Ｌｎｊに応じた多数の非時刻データ出力用接点部分Ｂｎｊを含む。
【００３３】
回路ブロック２０の基板２３の時刻データ及び非時刻データ出力端子２４，２５と液晶パネル１０の時刻データ及び非時刻データ入力端子１４，１５との間には、コネクタ２６，２７が配設されている。コネクタ２６は多数の導電層Ｃｔｉが絶縁層を介して積層一体化されたゴム状弾性体からなり、回路ブロック２０の時刻データ出力用接点部分Ｂｔｉの夫々と液晶パネル１１の時刻データ入力用接点部分Ａｔｉの夫々とを接続している。コネクタ２７は、コネクタ２６と同様に多数の導電層Ｃｎｊが絶縁層を介して積層一体化されたゴム状弾性体からなり、回路ブロック２０の非時刻データ出力用接点部分Ｂｎｊの夫々と液晶パネル１１の非時刻データ入力用接点部分Ａｎｊの夫々とを接続している。
【００３４】
なお、例えば、基板２３がフレキシブル基板からなるような場合には、コネクタ２６，２７を用いる代わりに、回路ブロック２０の基板２３のデータ出力用接点部分Ａｔｉ，Ａｎｊと液晶パネル１１の対応するデータ入力用接点部分Ｂｔｉ，Ｂｎｊとを熱圧着その他の手段により直接接続してもよく、接続の仕方は所望に応じて選択され得る。
【００３５】
受信アンテナ７は、棒状の磁気コア７ａに絶縁被覆導体線７ｂを多数回巻回してなり、非時刻データ出力用コネクタ２６及び液晶パネル１１の上縁に沿って、回路基板２３に固定されている。なお、その代わりに、回路基板２３の上縁部２３ａに切欠を形成しておき該切欠部内に受信アンテナ７を配設し、液晶パネル１１の剛性のパネル枠や電池５の剛性の電池枠その他の所望の固定支持手段ないし位置決め手段によりケースに対して受信アンテナ７を静置するようにしてもよい。受信アンテナ７の巻線７ｂは配線パターンＬｂを介して受信ＩＣに接続されている。
【００３６】
次に、以上のような構造を有するデジタル表示式電波修正腕時計１の機能について、図５に示した機能関連ブロック図に基づいて、説明する。
【００３７】
デジタル表示式電波修正腕時計１は、時計回路本体部４０、電波修正機構本体部５０、電波修正制御部６０、デジタル表示制御部７０及びデジタル表示部８０に加えて、非時刻データ表示制御手段としての受信・表示制御部９０を有する。
【００３８】
時計回路本体部４０は、水晶発振器を備えた通常の時計回路の本体部であって、水晶発振器を含む発振回路４１、該発振回路４１からのクロックパルスを分周して分周パルスを発する分周回路４２と、分周パルスの形態の秒パルスＰｓを計数し、時刻データとしての時・分・秒データＤｔを生成する時計回路としての計時回路４３とを含む。なお、計時回路４３は、また非時刻データ発生手段としても機能し、非時刻データＤｎに該当するカレンダーデータＤｎ１を生成する。
【００３９】
電波修正時計１は、この例では、図５において想像線で示した非時刻データ生成部３０を更に備える。この例では、非時刻データ生成部３０は、電池５の使用電力量をモニターして電池残量Ｄｎ２を非時刻データＤｎとして発する。この非時刻データ生成部３０も、時計ＩＣ２１に含まれる。なお、電波修正時計１が、歩数計の如く時計機能とは全く異なる機能を併せ持つ場合、歩数データ等も第二の種類の非時刻データＤｎ２に含まれる。但し、歩数データのような非時刻データＤｎ２は、当然ながら、時計ＩＣ２１とは異なる別の集積回路で処理されることになる。また、電波修正時計１が中間のスプリットタイムを記憶可能なストップウォッチとしても機能する場合、電波修正時計１をストップウォッチモードに設定すると、当該ストップウォッチの計時データは、非時刻データＤｎ２と扱われ、例えば、カレンダデータＤｎ１の代わりに非時刻データ表示部１３ａで表示され得る。この非時刻データの形態のストップウォッチデータＤｎ２は、その表示が以下で詳述されるカレンダーデータＤｎ１と同様に停止制御される。ストップウォッチ機能は、所望ならば、時計ＩＣ２１に組込まれ得る。
【００４０】
ここで、時計回路本体部４０のうち水晶発振器４１（図２では図示省略）以外の部分及びデジタル表示制御部７０は時計ＩＣ２１に含まれる。一方、電波修正機構本体部５０のうち受信アンテナ７以外の部分及び電波修正制御部６０は、受信ＩＣ２２に含まれる。受信・表示制御部９０は、時計ＩＣ２１に含まれても、受信ＩＣ２２に含まれてもよく、時計ＩＣ２１の汎用性を重視する場合受信ＩＣに含まれ、受信ＩＣを単純化する場合時計ＩＣに含まれる。
【００４１】
電波修正機構本体部５０は、受信アンテナ７に加えて、該受信アンテナ７と共同して標準電波信号ＪＪＹを受信する受信回路５１と、受信回路５１で受信した標準電波ＪＪＹから時刻情報Ｊを取り出すデコード回路５２とを有する。電波修正機構本体部５０は、更に、受信開始信号Ｆを受信回路５１に与えて該受信回路５１による標準電波ＪＪＹの受信を開始させると共に該受信回路５１による標準電波ＪＪＹの受信及びデコード回路５２による時刻情報Ｊの抽出が正常に行われたか否かを判定する受信制御回路５３を有する。受信制御回路５３は、時刻情報Ｊの受信・抽出が正常に行われた場合には正常完了（受信成功）信号Ｇ１及び受信時刻情報Ｊを発し、時刻情報Ｊの受信・抽出に失敗した場合には受信失敗信号Ｇ２を発する。
【００４２】
電波修正制御部６０は、電波修正機構本体部５０から正常完了（受信成功）信号Ｇ１及び受信時刻情報Ｊを受取った場合、該電波修正時刻情報Ｊを時刻情報格納部６１に格納すし、該時刻情報Ｊを時計回路本体部４０の計時回路４３に送って、計時回路４３の計時値を修正させると共に、受信・表示制御部９０の後述する受信実行制御部９１に正常完了（受信成功）信号Ｇ１を送る。一方、電波修正制御部６０は、電波修正機構本体部５０から受信失敗信号Ｇ２を受取った場合、受信・表示制御部９０の受信実行制御部９１に受信失敗信号Ｇ２を送る。
【００４３】
非時刻データ表示制御手段としての受信・表示制御部９０は、標準電波ＪＪＹの受信及び非時刻データＤｎの表示停止を制御すべく、上記受信実行制御部９１と表示停止制御部９２とを有する。
【００４４】
受信実行制御部９１は、予め指定若しくは予め決定された時刻（例えば、通常の就寝時間帯の特定の時刻、例えば午前２時）又は指示される毎に、電波修正動作を開始させるべく、受信実行指示信号Ｈを電波修正機構本体部５０の受信制御回路５３に与えて、受信制御回路５３に受信開始信号Ｆを発生させる。より詳しくは、受信実行制御部９１は、例えば、指定又は予定時刻情報を内部に保持しておき、計時回路４３から受取る時刻情報が指定又は予定時刻情報に一致すると、受信実行指示信号Ｈを発する。なお、指定又は予定時刻情報は、受信実行制御部９１に保持される代わりに、時計回路本体部５０側に保持されてもよい。また、受信実行制御部９１は、ユーザによる押ボタンスイッチの押圧等により電波修正動作の指示Ｋを受取った場合にも、受信実行指示信号Ｈを発する。
【００４５】
なお、受信実行制御部９１は、更に、受信実行指示信号Ｈを発した後、受信失敗信号Ｇ２を受取る毎に、所定の繰り返しのタイミングで、再度の受信実行指示信号Ｈを発して、電波修正指示を繰返す。この繰返制御は、正時毎に行われるようになっていても、所定の複数回に限り受信失敗信号Ｇ２の受取り後直ちに行われるようになっていても、指示Ｋを受けた場合にのみ所定の複数回に限り受信失敗信号Ｇ２の受取り後直ちに行われるようになっていてもよい。
【００４６】
受信実行制御部９１は、また、受信実行指示信号Ｈを発する際に、同時に、非時刻情報表示停止制御開始信号Ｍ１を表示停止制御部９２に与えて該表示停止制御部９２に非時刻情報表示停止信号Ｒを出させ、更に、正常完了（受信成功）信号Ｇ１又は受信失敗信号Ｇ２を受取る毎に、非時刻情報表示停止制御解除信号Ｍ２を表示停止制御部９２に与えて該表示停止制御部９２に非時刻情報表示停止信号Ｒの送信を止めさせる。
【００４７】
デジタル式表示器としてのデジタル表示部８０は液晶表示部１０ないし液晶パネル１１により構成される。このブロック図では、液晶表示部１０の如きデジタル式表示部は、符号８０で表す。デジタル表示部８０は、時刻データデジタル表示部８１及び非時刻データデジタル表示部８２を有し、デジタル表示制御部７０は、時刻データ表示制御部７１及び非時刻データ表示制御部７２を有する。
【００４８】
時刻データ表示制御部７１は、時計回路本体部４０の計時回路４３の時刻データ（時・分・秒データ）Ｄｔをデジタル表示部８０の時刻データデジタル表示部８１で表示させる。時計回路本体部４０の計時回路４３が電波修正時刻情報Ｊを受取った場合には、この時刻データＤｔは、該時刻情報Ｊに基づいて修正された時刻データになる。
【００４９】
非時刻データ表示制御部７２は、表示可能状態Ｑ１（図示せず）と表示停止状態Ｑ２（図示せず）との二種類の状態を採り、表示可能状態Ｑ１（図示せず）にある場合、カレンダーデータ（日・曜日データ）Ｄｎ１や電池残量Ｄｎ２の如き非時刻データＤｎを、デジタル表示部８０の非時刻データデジタル表示部８２で表示させる。
【００５０】
デジタルデータ表示制御部７０の非時刻データ表示制御部７２は、通常は、表示可能状態Ｑ１（図示せず）を採り、受信・表示制御部９０の表示停止制御部９２からの非時刻情報表示停止信号Ｒが入力されている間は、表示停止状態Ｑ２（図示せず）に設定されて、非時刻データＤｎの表示を停止する。
【００５１】
すなわち、受信実行制御部９１が、受信実行指示信号Ｈを発すると同時に非時刻情報表示停止制御開始信号Ｍ１を発すると、表示停止制御部９２が表示停止信号Ｒを非時刻データ表示制御部７２に送るので、非時刻データＤｎ（すなわち、Ｄｎ１やＤｎ２）の表示が停止される。この非時刻データＤｎの表示停止は、受信実行制御部９１が受信成功信号Ｇ１又は受信失敗信号Ｇ２を受取って非時刻情報表示停止制御解除信号Ｍ２を発することにより解除され、表示停止制御部９２の制御下で非時刻データ表示制御部７２が表示可能状態Ｑ１（図示せず）に戻って、非時刻データＤｎの表示が再開される。
【００５２】
従って、電波修正機構本体部５０により標準電波ＪＪＹの受信が行われている間は、非時刻データ表示用配線ないし導電路Ｌｎｊ，Ｂｎｊ，Ｃｎｊ，Ａｎｊには信号が流れず、デジタル表示部８０の非時刻データデジタル表示部８２による非時刻データＤｎの表示が停止されるから、電波修正機構本体部５０の標準電波ＪＪＹの受信が非時刻データ表示用配線Ｌｎｊ，Ｂｎｊ，Ｃｎｊ，Ａｎｊを信号が通る場合に生じるノイズによって、受信アンテナ７での標準電波ＪＪＹの受信が妨害される虞れがない。その結果、受信アンテナ７を液晶パネル１１の一側１１ｂにあるコネクタ２７に近接させて配置することが可能になり、時計１の小型化が図られ得る。
【００５３】
ここで、デジタル表示部８０は、液晶表示部１０の液晶パネル１１からなり、時刻データデジタル表示部８１及び非時刻データデジタル表示部８２は、夫々、液晶パネル１１の表示部１２及び１３からなる。
【００５４】
以上において、「〜回路」や「〜部」として表された機能ブロックは、当該機能ブロックが果たすべき機能を果たし得る限り、当該特定の機能を果たすように構成された電気・電子回路（論理回路を含む）であっても、マイクロプロセッサとプログラムとの組合せであってもよい。また、各種の信号は、電気・電子信号であっても、プログラムの実行過程で処理されるデータ又は情報であってもよい。
【００５５】
次に、以上の如く構成されたデジタル表示式電波修正時計の動作について、図１から図５に加えて、該時計１の動作を模式的した図６に基づいて、簡単に説明する。
【００５６】
例えば、ユーザが押ボタンスイッチ等を押圧して電波修正指示信号Ｋを発すると、受信・表示制御部９０の受信実行制御部９１が表示停止制御部９２に非時刻情報表示停止開始信号Ｍ１を与えると共に、受信実行指示信号Ｈを電波修正機構本体部５０の受信制御回路５３に与える。表示停止制御部９２が、信号Ｍ１に応じて非時刻情報表示停止信号Ｒを非時刻データ表示制御部７２与えて、非時刻情報Ｄｎの表示を停止させる。一方、受信制御回路５３が、受信回路Ｆに受信開始信号Ｆを与えて受信を開始させる。
【００５７】
従って、受信ＩＣ２２を含む集積回路２１，２２が、受信開始信号Ｆを受取って受信アンテナ７による標準電波ＪＪＹの受信すなわち時刻情報Ｊの受信が行われる間は、非時刻データ表示出力ラインＬｎｊを介する表示がＯＦＦ状態にされて、非時刻データ表示出力ラインＬｎｊを介する非時刻データＤｎの送信・表示が停止される。その結果、図６からわかるとおり、非時刻データＤｎに該当するカレンダーデータＤｎ１の表示部１３ａの表示自体が消えている。この状態では、非時刻データ表示出力ラインＬｎｊを介するカレンダーデータＤｎ１及びその表示制御信号の液晶パネル１１への送信が停止されているので、受信アンテナ７が配置された液晶パネル１１の上縁部１１ｂ近傍に表示用の電気信号が流れることがないから、受信アンテナ７が液晶パネル１１の上縁部１１ｂに近接して配置されても、受信アンテナ７による標準電波ＪＪＹの受信が表示信号によるノイズを受けることなく行われ得る。従って、デジタル表示式電波修正時計１では、サイズの増加を避けつつ受信アンテナの信号受信性能を維持し得る。
【００５８】
標準電波ＪＪＹの受信による時刻情報Ｊの取得に成功すると、受信制御回路５３から電波修正制御部６０を介して計時回路４３の時刻データＤｔが受信時刻情報Ｊに基づいて修正されると共に、受信成功信号Ｇ１の受信に応じて、受信・表示制御部９０が非時刻情報表示停止信号Ｒの送出を停止し、非時刻データ表示制御部７２が非時刻データＤｎの表示を可能にし、非時刻データデジタル表示部８２により、非時刻データＤｎの表示が再開される。
【００５９】
以上においては、非時刻データＤｎ１，Ｄｎ２の全てを、液晶パネル１１の１２側縁部１１ｂにおいて受信アンテナ７の近傍に位置する端子１５，２５及びコネクタ２７から液晶パネル１１に入力する例について説明したけれども、非時刻データＤｎの一部、例えば、電池残量データＤｎ２を、側縁部１１ｂの代わりに側縁部１１ａの端子１４，２４およびコネクタ２６の一部を利用して液晶パネル１１に入力するようにしてもよい。その場合、側縁部１１ａから入力される非時刻データＤｎ２は、標準電波ＪＪＹの時刻情報Ｊの受信・抽出の間も停止されることなく表示されてもよい。従って、表示停止制御部９２及び非時刻データ表示制御部７２は、非時刻データＤｎの種類Ｄｎ１，Ｄｎ２に応じて、表示の停止を制御することになる。但し、所望ならば、非時刻データＤｎ２も表示停止されてもよい。
【００６０】
更に、例えば、受信アンテナ７が液晶パネル１１に対して図１に示した１２側に配置される場合であって、端子１５，２５及びコネクタ２７が、１２時側ではなくて、３時側（液晶パネル１１の右側縁）や９時側（液晶パネル１１の左側縁）の如く受信アンテナ７とは離れた側縁部に配置される場合、非時刻データＤｎは、標準電波ＪＪＹの時刻情報Ｊの受信・抽出の間も停止されることなく表示されてもよい。
【図面の簡単な説明】
【００６１】
【図１】本発明による好ましい一実施例のデジタル表示式電波修正時計の主要部分を示したもので、（ａ）は平面説明図（但し、液晶表示部の背後に位置する配線パターンを重なり状態がわかるように破線で明示してある）、（ｂ）は（ａ）ＩＢ−ＩＢ線の断面説明図。
【図２】図１の電波修正時計の回路ブロックの平面説明図。
【図３】図１の電波修正時計の液晶表示部の平面説明図。
【図４】図１の電波修正時計の外観説明図。
【図５】図１の電波修正時計の機能を模式的に示した機能関連ブロック図。
【図６】図１の電波修正時計による非時刻データの表示停止制御を模式的に示した説明図。
【符号の説明】
【００６２】
１  デジタル表示式電波修正時計
２  腕時計部
３  時計バンド部
４  ケース
５  電池
６  時計本体部
７  受信アンテナ
１０  液晶表示部
１１  液晶パネル
１２  時刻表示部
１３  非時刻データ表示部
１３ａ  カレンダー（日・曜日）表示部
１３ｂ  電池残量表示部
１４  時刻データ表示用入力端子
１５  非時刻データ表示用入力端子
２０  回路ブロック
２１  時計ＩＣ
２２  受信ＩＣ
２３  回路基板
２４  時刻データ表示用出力端子
２５  非時刻データ表示用出力端子
２６  非時刻データ用コネクタ
２７  時刻データ用コネクタ
４０  時計回路本体部
４１  発振回路
４２  分周回路
４３  計時回路
５０  電波修正機構本体部
５１  受信回路
５２  デコード回路
５３  受信制御回路
６０  電波修正制御部
６１  受信時刻情報格納部
７０  デジタル表示制御部
７１  時刻データ表示制御部
７２  非時刻データ表示制御部
８０  デジタル表示部
８１  時刻データデジタル表示部
８２  非時刻データデジタル表示部
９０  受信・表示制御部
９１  受信実行制御部
９２  表示停止制御部
Ａｎｊ  非時刻データ入力用接点部分
Ａｔｉ  時刻データ入力用接点部分
Ｂｎｊ  非時刻データ出力用接点部分
Ｂｔｉ  時刻データ出力用接点部分
Ｃｎｊ，Ｃｔｉ  導電層
Ｄｔ  時刻データ
Ｄｎ  非時刻データ
Ｄｎ１  カレンダーデータ（非時刻データ）
Ｄｎ２  現在時刻に関係しない非時刻データ
受信開始信号
Ｇ１  受信成功信号
Ｇ２  受信失敗信号
Ｈ  受信実行指示信号
Ｊ  受信時刻情報
ＪＪＹ  標準電波信号
Ｌ  配線パターン
Ｌｎｊ  非時刻データ表示用出力ライン（伝送用配線）
Ｌｔｉ  時刻データ表示用出力ライン（伝送用配線）
Ｍ１  表示停止制御開始信号
Ｍ２  表示停止制御解除信号
Ｐｓ  秒パルス
Ｒ  非時刻情報表示停止信号
【図１】
2007187504.tif 000003
【図２】
2007187504.tif 000004
【図３】
2007187504.tif 000005
【図４】
2007187504.tif 000006
【図５】
2007187504.tif 000007
【図６】
2007187504.tif 000008